(57)【要約】【課題】非接触ＩＣ式プリペイドカードで料金の収受処理を行う上で、二重課金を防止する。【解決手段】このカード処理装置（料金収受機）は、非接触ＩＣ式プリペイドカードＡとの無線通信により残額情報を含むカード情報を取得するカードリーダ／ライタ１２と、カードリーダ／ライタ１２により取得されたカード情報を基に課金処理を行うと共に、カードリーダ／ライタ１２によりカード情報が取得されてから課金処理後の確定操作がなされるまで、あるいは課金処理後に発行した領収書が領収書発行部１５から抜き取られるまで、カードリーダ／ライタ１２に対してカード情報の読取処理を休止させるメイン制御部１７とを具備する。【選択図】　　　図１
2004126989.tif 000002
【特許請求の範囲】
【請求項１】
ＩＣカードとの無線通信によりＩＣカードから残額情報を含むカード情報を取得するカード情報取得手段と、
前記カード情報取得手段により取得されたカード情報を基に課金処理を行う課金処理手段と、
前記課金処理手段による課金処理結果についての確定操作を行うための操作手段と、
前記カード情報取得手段によりカード情報が取得されてから前記課金処理手段により課金処理されてその課金処理結果が前記操作手段により確定操作されるまで、前記カード情報取得手段によるカード情報の取得処理を休止させる制御手段と
を具備したことを特徴とするカード処理装置。
【請求項２】
ＩＣカードとの無線通信によりＩＣカードから残額情報を含むカード情報を取得するカード情報取得手段と、
前記カード情報取得手段により取得されたカード情報を基に課金処理を行う課金処理手段と、
前記課金処理手段により課金処理された結果として領収書を発行する領収書発行手段と、
前記領収書発行手段により発行された領収書が前記領収書発行手段から取り除かれたか否かを検知する検知手段と、
前記カード情報取得手段によりカード情報が取得されてから前記検知手段により領収書が取り除かれたことが検知されるまで、前記カード情報取得手段によるカード情報の取得処理を休止させる制御手段と
を具備したことを特徴とするカード処理装置。
【請求項３】
ＩＣカードとの無線通信によりＩＣカードから残額情報を含むカード情報を取得するカード情報取得手段と、
前記カード情報取得手段により取得されたカード情報を基に課金処理を行う課金処理手段と、
前記課金処理手段による課金処理結果についての確定操作を行うための操作手段と、
前記課金処理手段による課金処理結果として領収書を発行する領収書発行手段と、
前記領収書発行手段により発行された領収書が前記領収書発行手段から取り除かれたか否かを検知する検知手段と、
前記カード情報取得手段によりカード情報が取得されてから前記検知手段により領収書が取り除かれたことが検知されるまで、あるいは前記カード情報取得手段によりカード情報が取得されてから前記課金処理手段により課金処理されてその課金処理結果が前記操作手段により確定操作されるまで、前記カード情報取得手段によるカード情報の取得処理を休止させる制御手段と
を具備したことを特徴とするカード処理方法。
【請求項４】
ＩＣカードとの無線通信によりＩＣカードから残額情報を含むカード情報を取得するカード情報取得手段と、
前回課金処理したＩＣカードの課金処理結果を保持する課金処理結果保持手段と、
前記カード情報取得手段により取得されたカード情報に含まれるカード固有の識別情報と前記課金処理結果保持手段に保持されている前回の課金処理結果に含まれるカード固有の識別情報とを比較して、互いの識別情報が一致した場合、警告を発し、課金処理を行うか否かの操作を促す手段と、
この警告に対して課金処理を行うか否かの操作を行うための操作手段と、
前記操作手段により課金処理を行う操作がなされた場合、課金処理を行う手段と
を具備したことを特徴とするカード処理装置。
【請求項５】
ＩＣカードとカード情報取得手段との無線通信により前記カード情報取得手段がＩＣカードから残額情報を含むカード情報を取得するステップと、
前記カード情報取得手段により取得されたカード情報を基に課金処理を行うステップと、
前記カード情報取得手段によりカード情報が取得されてから課金処理した結果が確定するまで、前記カード情報取得手段によるカード情報の取得処理を休止するステップと
を有することを特徴とするカード処理方法。
【請求項６】
ＩＣカードとカード情報取得手段の無線通信によりカード情報取得手段がＩＣカードから残額情報を含むカード情報を取得するステップと、
前記カード情報取得手段により取得されたカード情報を基に課金処理を行い、課金処理結果として領収書を発行するステップと、
発行した領収書が取り除かれたか否かを検知するステップと、
前記カード情報取得手段によりカード情報が取得されてから領収書が取り除かれたことが検知されるまで、前記カード情報取得手段によるカード情報の取得処理を休止するステップと
を有することを特徴とするカード処理方法。
【請求項７】
ＩＣカードとカード情報取得手段との無線通信により前記カード情報取得手段がＩＣカードから残額情報を含むカード情報を取得するステップと、
前記カード情報取得手段により取得されたカード情報を基に課金処理を行い、課金処理結果として領収書を発行するステップと、
発行した領収書が前記領収書発行手段から取り除かれたか否かを検知するステップと、
前記カード情報取得手段によりカード情報が取得されてから領収書が取り除かれたことが検知されるまで、あるいは前記カード情報取得手段によりカード情報が取得されてから課金処理した結果が確定するまで、前記カード情報取得手段によるカード情報の取得処理を休止するステップと
を有することを特徴とするカード処理方法。
【請求項８】
ＩＣカードとカード情報取得手段との無線通信により前記カード情報取得手段がＩＣカードから残額情報を含むカード情報を取得するステップと、
前回課金処理したＩＣカードの課金処理結果を課金処理結果保持手段に保持するステップと、
前記カード情報取得手段が今回取得したカード情報に含まれるカード固有の識別情報と前記課金処理結果保持手段に保持されている前回の課金処理結果に含まれるカード固有の識別情報とを比較して、互いの識別情報が一致した場合、警告を発し、課金処理を行うか否かの操作を促すステップと、
この警告に対して課金処理を行う操作がなされた場合、課金処理を行うステップと
を有することを特徴とするカード処理方法。
【発明の詳細な説明】
【０００１】
【発明の属する技術分野】
本発明は、例えば無線方式のＩＣカードを有料道路のプリペイドカードとして利用するためのカード処理装置、カード処理方法に関する。
【０００２】
【従来の技術】
非接触プリペイドカードシステムは、例えば数１０ｃｍ程度の狭域で無線通信可能なＩＣカード（非接触ＩＣ式プリペイドカード）とこれに対応するカードリーダ／ライタとからなり、非接触ＩＣカードをカードリーダ／ライタにかざすだけで、カードリーダ／ライタが無線通信により非接触ＩＣカードのデータの読み取り／書き込みを行うシステムであり、商店街、デパートなどの店舗や鉄道などの交通機関に既に導入されている。
【０００３】
また、有料道路などには、磁気カードを用いた料金収受システムが既に導入されている。この料金収受システムは、例えば有料道路の出入口に設置された収受員ブースの収受員が、通行車両のドライバから磁気カード（通行券、回数券、プリペイドカード、クレジットカードなど）を受け取り、これらの磁気カードを料金収受機にかけて処理することで有料道路の通行料金を通行車両のドライバから徴収するシステムである。
料金収受システムでは、プリペイドカードとして磁気式のものが利用されてきたが、セキュリティの向上、サービスの向上などの点でＩＣカード化が急務になっている。
【０００４】
この有料道路の料金収受システムに、非接触プリペイドカードシステムの非接触ＩＣ式プリペイドカードを適用する上ではさまざまな問題がある。
【０００５】
【発明が解決しようとする課題】
非接触ＩＣ式プリペイドカードは、有料道路の収受員ブースに勤務する収受員がカードリーダ／ライタにかけることになる。
非接触プリペイドカードシステムでは、非接触ＩＣ式プリペイドカードをカードリーダ／ライタのアンテナ部からある範囲内に近付ける（かざす）だけで無線通信処理により非接触ＩＣ式プリペイドカードの情報を瞬時に読み取り課金処理を実行するため、非接触ＩＣ式プリペイドカードをアンテナ部に近付けるタイミング、あるいは非接触ＩＣ式プリペイドカードの近付け方によっては、チャタリングや操作ミス等を起こし、二重課金してしまう恐れがある。
【０００６】
本発明はこのような課題を解決するためになされたもので、無線方式のＩＣカードをプリペイドカードとして料金収受処理に利用する上で、二重課金を防止することのできるカード処理装置、カード処理方法を提供することを目的としている。
【０００７】
【課題を解決するための手段】
上記した課題を解決するために、請求項１記載の発明のカード処理装置は、ＩＣカードとの無線通信によりＩＣカードから残額情報を含むカード情報を取得するカード情報取得手段と、前記カード情報取得手段により取得されたカード情報を基に課金処理を行う課金処理手段と、前記課金処理手段による課金処理結果についての確定操作を行うための操作手段と、前記カード情報取得手段によりカード情報が取得されてから前記課金処理手段により課金処理されてその課金処理結果が前記操作手段により確定操作されるまで、前記カード情報取得手段によるカード情報の取得処理を休止させる制御手段とを具備したことを特徴としている。
【０００８】
請求項２記載の発明のカード処理装置は、ＩＣカードとの無線通信によりＩＣカードから残額情報を含むカード情報を取得するカード情報取得手段と、前記カード情報取得手段により取得されたカード情報を基に課金処理を行う課金処理手段と、前記課金処理手段により課金処理された結果として領収書を発行する領収書発行手段と、前記領収書発行手段により発行された領収書が前記領収書発行手段から取り除かれたか否かを検知する検知手段と、前記カード情報取得手段によりカード情報が取得されてから前記検知手段により領収書が取り除かれたことが検知されるまで、前記カード情報取得手段によるカード情報の取得処理を休止させる制御手段とを具備したことを特徴としている。
【０００９】
請求項３記載の発明のカード処理装置は、ＩＣカードとの無線通信によりＩＣカードから残額情報を含むカード情報を取得するカード情報取得手段と、前記カード情報取得手段により取得されたカード情報を基に課金処理を行う課金処理手段と、前記課金処理手段による課金処理結果についての確定操作を行うための操作手段と、前記課金処理手段による課金処理結果として領収書を発行する領収書発行手段と、前記領収書発行手段により発行された領収書が前記領収書発行手段から取り除かれたか否かを検知する検知手段と、前記カード情報取得手段によりカード情報が取得されてから前記検知手段により領収書が取り除かれたことが検知されるまで、あるいは前記カード情報取得手段によりカード情報が取得されてから前記課金処理手段により課金処理されてその課金処理結果が前記操作手段により確定操作されるまで、前記カード情報取得手段によるカード情報の取得処理を休止させる制御手段とを具備したことを特徴としている。
【００１０】
請求項４記載の発明のカード処理装置は、ＩＣカードとの無線通信によりＩＣカードから残額情報を含むカード情報を取得するカード情報取得手段と、前回課金処理したＩＣカードの課金処理結果を保持する課金処理結果保持手段と、前記カード情報取得手段により取得されたカード情報に含まれるカード固有の識別情報と前記課金処理結果保持手段に保持されている前回の課金処理結果に含まれるカード固有の識別情報とを比較して、互いの識別情報が一致した場合、警告を発し、課金処理を行うか否かの操作を促す手段と、この警告に対して課金処理を行うか否かの操作を行うための操作手段と、前記操作手段により課金処理を行う操作がなされた場合、課金処理を行う手段とを具備したことを特徴としている。
【００１１】
請求項５記載の発明のカード処理装置は、ＩＣカードとカード情報取得手段との無線通信により前記カード情報取得手段がＩＣカードから残額情報を含むカード情報を取得するステップと、前記カード情報取得手段により取得されたカード情報を基に課金処理を行うステップと、前記カード情報取得手段によりカード情報が取得されてから課金処理した結果が確定するまで、前記カード情報取得手段によるカード情報の取得処理を休止するステップとを有することを特徴としている。
【００１２】
請求項６記載の発明のカード処理装置は、ＩＣカードとカード情報取得手段の無線通信によりカード情報取得手段がＩＣカードから残額情報を含むカード情報を取得するステップと、前記カード情報取得手段により取得されたカード情報を基に課金処理を行い、課金処理結果として領収書を発行するステップと、発行した領収書が取り除かれたか否かを検知するステップと、前記カード情報取得手段によりカード情報が取得されてから領収書が取り除かれたことが検知されるまで、前記カード情報取得手段によるカード情報の取得処理を休止するステップとを有することを特徴としている。
【００１３】
請求項７記載の発明のカード処理装置は、ＩＣカードとカード情報取得手段との無線通信により前記カード情報取得手段がＩＣカードから残額情報を含むカード情報を取得するステップと、前記カード情報取得手段により取得されたカード情報を基に課金処理を行い、課金処理結果として領収書を発行するステップと、発行した領収書が前記領収書発行手段から取り除かれたか否かを検知するステップと、前記カード情報取得手段によりカード情報が取得されてから領収書が取り除かれたことが検知されるまで、あるいは前記カード情報取得手段によりカード情報が取得されてから課金処理した結果が確定するまで、前記カード情報取得手段によるカード情報の取得処理を休止するステップとを有することを特徴としている。
【００１４】
請求項８記載の発明のカード処理方法は、ＩＣカードとカード情報取得手段との無線通信により前記カード情報取得手段がＩＣカードから残額情報を含むカード情報を取得するステップと、前回課金処理したＩＣカードの課金処理結果を課金処理結果保持手段に保持するステップと、前記カード情報取得手段が今回取得したカード情報に含まれるカード固有の識別情報と前記課金処理結果保持手段に保持されている前回の課金処理結果に含まれるカード固有の識別情報とを比較して、互いの識別情報が一致した場合、警告を発し、課金処理を行うか否かの操作を促すステップと、この警告に対して課金処理を行う操作がなされた場合、課金処理を行うステップとを有することを特徴としている。
【００１５】
本発明では、ＩＣカードからカード情報を取得し課金処理後、あるいはＩＣカード以外の料金収受手段で課金処理した後、課金確定操作により課金処理結果が確定するまで、次のＩＣカードに対するカード情報の取得処理を休止するので、それまではＩＣカードからカード情報が取得しなくなり、不用意にＩＣカードをカード情報取得手段に近づけてもその都度課金されることを防止できる。
また、本発明では、課金処理後に発行した領収書が領収書発行手段から取り除かれるまで、カード情報取得手段に対してカード情報の取得処理を休止させるので、その間にＩＣカードから情報を取得しなくなり、同じカードによる多重処理を防止できる。
さらに、本発明では、前回の課金処理結果を保持しておき、前回の処理で使用されたＩＣカードと同じＩＣカードが今回使用された場合に警告を発っして、収受員に課金処理を行うかどうかを促すことで、誤操作によりカード情報が読み込まれた場合に課金処理をしないようにできる。
【００１６】
【発明の実施の形態】
以下、本発明の実施の形態を図面を参照して詳細に説明する。
図１は本発明に係るカード処理装置、カード処理方法の一つの実施の形態の料金収受機の構成を示す図である。
【００１７】
図１に示すように、この実施形態の料金収受機は、料金収受機本体１０に、有料道路の料金所の入口あるいは出口の料金収受用の車線に配置された収受員ブースに設けられており、カードリーダ／ライタ１２、表示部１３、操作部１４、領収書発行部１５、メモリ１６、メイン制御部１７などを備えている。
カードリーダ／ライタ１２は、表面に微弱電波を発信するアンテナ部を備え、このアンテナ部から所定距離以内に非接触ＩＣ式プリペイドカードＡが接近した場合、アンテナ部が非接触ＩＣ式プリペイドカードＡと無線通信を行い、非接触ＩＣ式プリペイドカードＡから残額情報を含むカード情報を取得し（読み取り）、また、メイン制御部１７で通行料金の課金処理を行った結果の情報（課金情報、残額情報等）を非接触ＩＣ式プリペイドカードＡに書き込む。所定距離以内とは、例えば数１０ｃｍ程度である。カードリーダ／ライタ１２は、この料金収受機本体１０に内蔵しても良く、また料金収受機本体１０から独立させた形で外部接続してもよい。表示部１３は、カード処理結果やガイダンス等を表示するものである。操作部１４は、必要な情報入力や確認を行うためのものである。領収書発行部１５は、課金処理が終了した時点で、必要に応じて領収書を発行する。領収書発行部１５には光センサなどの発行済み領収書が抜き取られたか否かを検知する領収書抜き取り検知手段が備えられている。メモリ１６は、直前に処理した非接触ＩＣ式プリペイドカードＡの課金処理結果（カードＩＤ、課金額、通行料金引き去り後の残額等）を保持しておく課金処理結果保持手段である。メイン制御部１７は、各部による一連のカード処理を制御し、カードリーダ／ライタ１２により取得されたカード情報を基に課金処理を行う課金処理手段として機能する。また、メイン制御部１７は、課金情報やその他料金収受に関する情報を集計し、これらの決済情報を統括して管理するコンピュータである中央システムへ送信する。
非接触ＩＣ式プリペイドカードＡには、カードリーダ／ライタ１２のアンテナ部の電波に反応して通信可能となるアンテナと半導体メモリが内蔵されている。半導体メモリには、プリペイド金額（利用可能な残額）が予め記憶（チャージ）されており、利用可能額の範囲内でこのカードでの決済（通行料金の支払い）が可能である。また、利用可能な残額については、非接触ＩＣ式プリペイドカードＡをカードリーダ／ライタ１２にかけて収受員が増額操作を行うことで残額情報を追加（増額）することができる。
【００１８】
この料金収受機では、非接触ＩＣ式プリペイドカードＡをカードリーダ／ライタ１２にかざす（近付ける）、または触れると、カードリーダ／ライタ１２は、非接触ＩＣ式プリペイドカードＡと無線通信を行い、カードＩＤや残額情報を含むカード情報を読み取り、読み取ったカード情報をメイン制御部１７に送り、メイン制御部１７が通行料金を課金処理した結果（課金情報、残額情報等）を非接触ＩＣ式プリペイドカードＡに書き込む。
この料金収受機における収受処理は、非接触ＩＣ式プリペイドカードＡで行えるが、これ以外の支払手段、例えば現金、回数券などでも行うことができる。また、複数の非接触ＩＣ式プリペイドカードＡをほぼ同時にカードリーダ／ライタ１２にかざして収受処理を行うことも可能である。
【００１９】
続いて、図２のフローチャートを参照してこの料金収受機の第１動作例について説明する。
この第１動作例は、課金処理後、発行した領収書が取り除かれるまで、あるいは課金確定操作が行われるまで、次の非接触ＩＣ式プリペイドカードＡに対する処理を許可しないことで、チャタリングなどの発生による二重課金を防止する例である。
なお、この例では、均一料金制の有料道路において、入口では通行料金を徴収せずに出口で所定の通行料金を徴収する料金所の例について説明する。
通常、メイン制御部１７は、操作部１４の勤務終了操作を待ち受けており（Ｓ１０１）、勤務終了操作があると（Ｓ１０１のＹ）、処理動作を終了する。勤務終了操作がないうちは（Ｓ１０１のＮ）、以下の処理を行う。
料金所の車線に進入した車両のドライバが車両を収受員ブースの位置まで走行させて、非接触ＩＣ式プリペイドカードＡを収受員に手渡すと、収受員により非接触ＩＣ式プリペイドカードＡがカードリーダ／ライタ１２にかざされ（近付けられ）、または当接される。
【００２０】
すると、カードリーダ／ライタ１２は、非接触ＩＣ式プリペイドカードＡと無線通信を行う。無線通信により、非接触ＩＣ式プリペイドカードＡから、残額情報を含むカード情報をカードリーダ／ライタ１２を読み取ることができない場合（Ｓ１０２のＮ）、カードリーダ／ライタ１２は、その旨をメイン制御部１７を通じて表示部１３に表示し、係員により操作部１４が操作されてカード以外の支払い手段による課金処理を行うための操作がなされた場合、メイン制御部１７は、カード以外の支払い手段による課金処理を行う（Ｓ１０３）。
また、非接触ＩＣ式プリペイドカードＡから、残額情報を含むカード情報をカードリーダ／ライタ１２が正常に読み取ると（Ｓ１０２のＹ）、カードリーダ／ライタ１２は、読み取ったカード情報をメイン制御部１７に送る。
メイン制御部１７は、受け取ったカード情報を基に通行料金の課金処理し、その結果（課金情報、差し引いた残額情報等）を非接触ＩＣ式プリペイドカードＡに書き込む。
【００２１】
このように非接触ＩＣ式プリペイドカードＡに対する課金処理のための情報読取処理、または、ＩＣカード以外の現金や回数券による課金処理が終了すると（Ｓ１０５のＹ）、メイン制御部１７は、カードリーダ／ライタ１２に対して非接触ＩＣ式プリペイドカードＡに対する読取処理を休止させると共に（Ｓ１０６）、表示部１３に領収書の発行が必要か否かのメッセージを表示させ、領収書発行操作あるいは領収書不要操作を促す。なお、読取処理を休止させるだけであれば、残額情報を含むカード情報をカードリーダ／ライタ１２が正常に読み取った時点でカード情報の読取処理を休止させてもよい。領収書発行部１５から領収書を発行するかどうかの情報は、予め非接触ＩＣ式プリペイドカードＡに書き込まれている場合があり、この場合は、操作部からの領収書発行操作あるいは領収書不要操作は不要である。
【００２２】
操作部１４にて領収書発行操作が行われた場合、つまり領収書発行ありの場合（Ｓ１０７のＹ）、メイン制御部１７は、領収書発行部１５を制御して領収書を発行させる（Ｓ１０８）。
その後、メイン制御部１７は、センサの検知状況から、領収書発行部１５から領収書が取り除かれたかどうか（抜き取りの有無）をチェックし（Ｓ１０９）、領収書発行部１５のセンサにより領収書が取り除かれたことが検知された場合（Ｓ１０９のＹ）、メイン制御部１７は、次の車両（非接触ＩＣ式プリペイドカードＡ）に対する課金処理を許可し（Ｓ１１０）、操作部１４の勤務終了操作待ち（Ｓ１０１）および非接触ＩＣ式プリペイドカードＡの読み取り待ち（Ｓ１０２）、または非接触ＩＣ式プリペイドカードＡ以外の収受処理待ちとなる。
一方、操作部１４にて領収書発行不要操作が行われた場合、つまり領収書発行なしの場合（Ｓ１０７のＮ）、メイン制御部１７は、課金確定操作待ちになる（Ｓ１０８）。そして、操作部１４が課金確定操作されると（Ｓ１０８のＹ）、メイン制御部１７は、課金処理結果が確定したものとして、次の非接触ＩＣ式プリペイドカードＡに対するカードリーダ／ライタ１２の読み取り処理を許可する（Ｓ１１０）。
【００２３】
次に、図３のフローチャートを参照してこの料金収受機の第２動作例について説明する。この第２動作例は、直前に使用されたカードと同一の非接触ＩＣ式プリペイドカードＡが使用された場合に警告を発することで、誤操作による二重課金を防止する例である。
【００２４】
この料金収受機の場合、カードリーダ／ライタ１２がカード情報の読み取りを待機しているときに（図３のＳ２０１）、操作部１４より、非接触ＩＣ式プリペイドカードＡ以外の課金処理（現金、回数券等）の操作がなされた場合、メイン制御部１７は、その操作に応じた収受処理を行う（Ｓ２０２）。
そして、メイン制御部１７は、カード情報のクリア処理を行い、メモリ１６に保持されているカード情報をクリアする（Ｓ２０３）。
【００２５】
カードリーダ／ライタ１２に、非接触ＩＣ式プリペイドカードＡがかざされ、カードリーダ／ライタ１２によって、カード情報が読み取られた場合（Ｓ２０１のＹ）、メイン制御部１７は、直前の収受処理で、非接触ＩＣ式プリペイドカードＡの処理を行っているかどうかをメモリチェックする（Ｓ２０４）。
このメモリチェックの結果、直前の収受処理で、非接触ＩＣ式プリペイドカードＡの処理を行っていない場合（Ｓ２０４のＮ）、メイン制御部１７は、カード引去処理を行った後（Ｓ２０５）、カード処理情報を新たに設定する（Ｓ２０６）。
また、メモリチェックの結果、直前の収受処理で、非接触ＩＣ式プリペイドカードＡの処理を行っている場合、メイン制御部１７は、メモリ１６に保持されている前回処理したカード情報と、今回新たに読み取ったカード情報との比較を行う（Ｓ２０７）。具体的には今回取得したカード情報に含まれるカード固有の識別情報（カードＩＤ）と前回の課金処理結果に含まれるカード固有の識別情報（カードＩＤ）とを比較して一致するかどうかをチェックする。
【００２６】
この比較の結果、互いのカード情報が不一致だった場合（Ｓ２０８のＮ）、前回処理で使用したカードとは異なるためカード引去処理を行った後（Ｓ２０５）、カード処理情報を新たに設定する（Ｓ２０６）。
また、比較の結果、互いのカード情報（カードＩＤ）が一致した場合（Ｓ２０８のＹ）、前回処理で使用したカードと同じなので、メイン制御部１７は、表示部１３に警告表示を行い（Ｓ２０９）、収受員に前回処理で使用したカードと同じカードが使用されていることを通知し、課金処理を行うか否かの操作を促す。
例えば連続する２台の車両間で同じカードを流用して料金の支払いを行うことを車両側のドライバが収受員に申し出たような場合は、収受員の判断により操作部１４が課金操作される（Ｓ２１０のＹ）。
すると、メイン制御部１７は、課金操作に応じてカード引去処理を行った後（Ｓ２０５）、カード処理情報を新たに設定する（Ｓ２０６）。カード引去処理とは該当車両に対して、カード情報に含まれる残額情報から所定の通行料金分の課金額を引き去る処理である。
また、操作部１４が課金操作されなければ（Ｓ２１０のＮ）、メイン制御部１７は、何も処理は行わず（Ｓ２１１）、処理を終了する。
【００２７】
このようにこの実施形態の料金収受機によれば、非接触ＩＣ式プリペイドカードＡを使用して料金収受処理行う上で、カード情報正常読取後の課金処理中にカード読み取りを休止させておき、領収書発行部１５により発行された領収書が領収書発行部１５から取り除かれたことをトリガとし、また、領収書が発行されない場合は課金確定操作が行われたことをトリガとして、次の非接触ＩＣ式プリペイドカードＡの読み取り処理を許可するので、その間にチャタリングや誤操作があった場合にカード情報が取得されなくなり、多重課金を防止することができる。
また、非接触ＩＣ式プリペイドカードＡに対するカード処理を行った場合に、課金後のカード情報をメモリ１６に一時保持しておき、その直後のカード読取時には、メモリ１６に保持してある前回の課金処理結果のカードＩＤと今回カードから読み取ったカードＩＤとの比較を行い、互いのカードＩＤが一致した場合は警告表示を行い収受員に課金するかどうかを判断させるので、同じカードを誤って近づけた際に起こる多重課金を防止することができる。
この結果、非接触ＩＣ式プリペイドカードＡで料金の収受処理を行う上で、チャタリングや誤操作などによる多重課金を防止することができる。
【００２８】
なお、本発明は上記実施携帯のみに限定されるものではない。
上記実施形態では、前回のカードＩＤと今回のカードＩＤとが一致した場合に警告表示を行うことにしたが、この他、スピーカなどから警報を発しても良く、収受員に異常の可能性が通知できれば、これ以外の報知の仕方であってもよい。
上記実施形態では、均一料金制の有料道路の例について説明したが、これ以外に、通行距離に応じて利用料金（通行料金）が変わる対距離制の有料道路もあるが、この場合は、有料道路の入口で入口情報を非接触ＩＣ式プリペイドカードＡに書き込んでおき、出口では料金収受機によってカード情報の一つとして残額情報と共に入口情報も読み出される。
【００２９】
【発明の効果】
以上説明したように本発明によれば、ＩＣカードからカード情報を取得し課金処理後、課金確定操作により課金処理結果が確定するまで、次のＩＣカードに対するカード情報の取得処理を休止するので、それまではＩＣカードからカード情報が取得しなくなり、不用意にＩＣカードをカード情報取得手段に近づけてもその都度課金されることを防止できる。
また、本発明によれば、課金処理後に発行した領収書が領収書発行手段から取り除かれるまで、カード情報取得手段に対してカード情報の取得処理を休止させるので、その間にＩＣカードから情報を取得しなくなり、同じカードによる多重処理を防止できる。
さらに、本発明によれば、前回の課金処理結果を保持しておき、前回の処理で使用されたＩＣカードと同じＩＣカードが今回使用された場合に警告を発っして、収受員に課金処理を行うかどうかを促すことで、誤操作によりカード情報が読み込まれた場合に課金処理をしないようにできる。
この結果、無線方式のＩＣカードをプリペイドカードとして料金収受処理に利用する上で、二重課金を防止することができる。
【図面の簡単な説明】
【図１】本発明に係る一つの実施の形態の料金収受機の構成を示す図。
【図２】図１の料金収受機の第１動作例を示すフローチャート。
【図３】図１の料金収受機の第２動作例を示すフローチャート。
【符号の説明】
Ａ…非接触ＩＣ式プリペイドカード、１０…料金収受機本体、１２…カードリーダ／ライタ、１３…表示部、１４…操作部、１５…領収書発行部、１６…メモリ、１７…メイン制御部。
【図１】
2004126989.tif 000003
【図２】
2004126989.tif 000004
【図３】
2004126989.tif 000005